(57)【要約】【課題】支承や落橋防止装置等が配置され強化繊維シートを完全に巻き付けることができない橋脚横梁を、簡便、かつ確実に補強することができる橋脚横梁の補強方法及び補強部材を提供する。【解決手段】強化繊維シート７を該橋脚横梁２の両側面２ｂと下面２ｃを覆うようにＵ字状に巻き付け樹脂を含浸させて接着し、強化繊維で形成され中央部に樹脂を含浸させ硬化させたプレキャスト部１１が形成された補強帯１０を、該プレキャスト部１１に接着剤１３を塗布した状態で、前記支承及び落橋防止装置等の間の橋脚横梁２上面２ａに接触させ、該補強帯１０の未硬化部１２を前記強化繊維シート７の外周面に、その両端が重なり合うように巻き付け、該未硬化部分１２に樹脂を含浸させて硬化させる。【選択図】　図３
2004060213.tif 000002
【特許請求の範囲】
【請求項１】
上面に添加物が配置された橋脚横梁に、強化繊維シートを該橋脚横梁の両側面と下面を覆うようにＵ字状に巻き付け、該強化繊維シートに樹脂を含浸させて橋脚横梁に接着し、
可撓性を有する強化繊維で形成され中央部に樹脂を含浸させて硬化させたプレキャスト部が形成された補強帯を、該プレキャスト部に接着剤を塗布した状態で、該プレキャスト部を前記接着剤を介して橋脚横梁に設置し、
該補強帯の未硬化部を前記強化繊維シートの外周面に巻きつけ
該未硬化部に樹脂を含浸させて、補強帯を閉鎖環状に硬化させる
ことを特徴とする、橋脚横梁の補強方法。
【請求項２】
上面に添加物が配置された橋脚横梁に、強化繊維シートを該橋脚横梁の両側面と下面を覆うようにＵ字状に巻き付け、該強化繊維シートに樹脂を含浸させて橋脚横梁に接着し、
可撓性を有する強化繊維で形成され中央部に樹脂を含浸させて硬化させたプレキャスト部が形成された補強帯を、該プレキャスト部に接着剤を塗布した状態で、該プレキャスト部を前記接着剤を介して前記橋脚横梁上面に設置し、
該補強帯の未硬化部を前記強化繊維シートの外周面に、その両端が重なり合うように巻き付け、
該未硬化部に樹脂を含浸させて、補強帯を閉鎖環状に硬化させる、
ことを特徴とする、橋脚横梁の補強方法。
【請求項３】
強化繊維で、橋脚横梁の軸直角断面における外周長より長い帯状に形成され、その中央部に、該橋脚横梁の上面の幅より短い長さで樹脂が含浸、硬化されたプレキャスト部を有し、該プレキャスト部の少なくとも一方の側に接着剤塗布領域を形成して構成した、ことを特徴とする、橋脚横梁の補強部材。
【請求項４】
強化繊維で、中央部を橋脚横梁の上面に載置したとき、その両端が少なくとも橋脚横梁の側面中央部に達する長さを有する帯状に形成され、その中央部に、該橋脚横梁の上面の幅より短い長さで樹脂が含浸、硬化されたプレキャスト部を有し、該プレキャスト部の少なくとも一方の側に、接着剤塗布領域が形成された主帯と、
中央部を橋脚横梁の下面に接触させ、その両端部を側面に沿って立ち上げるように橋脚横梁に巻き付けたとき、その両端がそれぞれ橋脚横梁の側面に垂れ下がる前記主帯の各端部と重なり合う長さに形成された副帯と、を有する、
ことを特徴とする、橋脚横梁の補強部材。
【発明の詳細な説明】
【０００１】
【発明の属する技術分野】
本発明は、道路や鉄道等の橋脚横梁の補強方法及び補強部材に係り、特に、上面に支承や落橋防止装置等の添加物が配置された橋脚横梁を補強するのに好適な橋脚横梁の補強方法及び補強部材に関する。
【０００２】
【従来の技術】
ラーメン橋脚横梁に代表される橋脚横梁には、橋脚横梁の上面に支承や落橋防止装置等の添加物が配置されている。このため、橋脚等の柱状部のように、鋼板や強化繊維シートで橋脚横梁を完全に包み込んで補強することができない。また、仮に添加物が無くとも、横梁上面と橋梁上部工などの構築物下面との隙間が狭く、横梁の幅が広いことから、人力での作業が困難であり、強化シートに樹脂を良好に含浸し、硬化させる際の施工品質の確保は極めて困難である。
【０００３】
このため、炭素繊維、ガラス繊維、ボロン、チタン、スチール等の無機繊維、アラミド、ポリエステル、ナイロン等の有機繊維を一種もしくは複数種混入して形成された強化繊維シートを、橋脚横梁の両側面と下面にＵ字状に配置し、該強化繊維シートに、常温硬化型エポキシ樹脂、熱硬化型エポキシ樹脂、ポリエステル系樹脂、ポリアミド樹脂、ポリカーボネイト樹脂等の樹脂を含浸させて、該強化繊維シートを橋脚横梁に接着すると共に硬化させて、橋脚横梁を補強することが行なわれていた。
【０００４】
通常、コンクリート構造物の補強設計を行なう場合、対象となるコンクリート構造物に強化繊維シートを完全に巻き付けた状態の補強効率を求め、前記のように強化繊維シートをＵ字状に巻き付けた場合でも完全に巻き付けた場合と同等の補強効率が得られるものとして補強設計を行なっていた。
【０００５】
【発明が解決しようとする課題】
強化繊維シートを橋脚横梁にＵ字状に巻きつける補強方法は、施工が簡便であるが、強化繊維シートを橋脚横梁に完全に巻き付けていないため、その補強効率は、橋脚横梁に強化繊維シートを完全に巻き付けた場合の補強効率の半分程度と低いものになる。
【０００６】
即ち、強化繊維シートをＵ字状に巻きつけて補強した場合、強化繊維シートに樹脂を含浸させ硬化させているとしても、Ｕ字状の開口部を押し広げる力が作用した場合、硬化している強化繊維シートの開口部が開き橋脚横梁にクラックが発生しやすい。このため、設計時に想定したせん断耐力が期待できず、地震時に橋脚横梁のせん断破壊が発生する危険性があり、強化繊維シートを完全に巻き付けることができない橋脚横梁を、簡便に、かつ確実に補強することができる補強方法及び補強部材の開発が望まれていた。
【０００７】
前記の事情に鑑み、本発明は、支承や落橋防止装置等の添加物が配置され、強化繊維シートを完全に巻き付けることができない橋脚横梁を、簡便、かつ確実に補強することができる橋脚横梁の補強方法及び補強部材を提供することを目的とする。
【０００８】
【課題を解決するための手段】
請求項１に係る発明は、上面に添加物が配置された橋脚横梁（２）に、強化繊維シート（７）を該橋脚横梁（２）の両側面（２ｂ）と下面（２ｃ）を覆うようにＵ字状に巻き付け、該強化繊維シート（７）に樹脂を含浸させて橋脚横梁（２）に接着し、
可撓性を有する強化繊維で形成され中央部に樹脂を含浸させて硬化させたプレキャスト部（１１、１６）が形成された補強帯（１０、１５）を、該プレキャスト部（１１、１６）に接着剤（１３）を塗布した状態で、該プレキャスト部（１１、１６）を前記接着剤（１３）を介して橋脚横梁（２）に設置し、
該補強帯（１０、１５）の未硬化部（１２、１７）を前記強化繊維シート（７）の外周面に巻きつけ
該未硬化部（１２、１７）に樹脂を含浸させて、補強帯を閉鎖環状に硬化させるようにした。
【０００９】
請求項２に係る発明は、上面に添加物が配置された橋脚横梁（２）に、強化繊維シート（７）を該橋脚横梁（２）の両側面と下面を覆うようにＵ字状に巻き付け、該強化繊維シート（７）に樹脂を含浸させて橋脚横梁（２）に接着し、
可撓性を有する強化繊維で形成され中央部に樹脂を含浸させて硬化させたプレキャスト部（１１、１６）が形成された補強帯（１０、１５）を、該プレキャスト部に接着剤（１３）を塗布した状態で、該プレキャスト部（１１、１６）を前記接着剤（１３）を介して前記橋脚横梁（２）上面（２ａ）に設置し、
該補強帯（１０、１５）の未硬化部（１２、１７）を前記強化繊維シート（７）の外周面に、その両端が重なり合うように巻き付け、
該未硬化部（１２、１７）に樹脂を含浸させて、補強帯（１０、１５）を閉鎖環状に硬化させるようにした。
【００１０】
請求項３に係る発明は、強化繊維で、橋脚横梁（２）の軸直角断面における外周長より長い帯状に形成され、その中央部に、該橋脚横梁（２）の上面の幅より短い長さで樹脂が含浸されたプレキャスト部（１１、１６）を有し、該プレキャスト部（１１、１６）の少なくとも一方の側に接着剤塗布領域（ＡＲＡ）を形成して構成した。
【００１１】
請求項４に係る発明は、強化繊維で、中央部を橋脚横梁の上面に載置したとき、その両端が少なくとも橋脚横梁（２）の側面（２ｂ）中央部に達する長さを有する帯状に形成され、その中央部に、該橋脚横梁（２）の上面（２ａ）の幅より短い長さ（Ｌ３）で樹脂が含浸、硬化されたプレキャスト部（１６）を有し、該プレキャスト部（１６）の少なくとも一方の側に接着剤塗布領域（ＡＲＡ）が形成された主帯（１５ａ）と、
中央部を橋脚横梁（２）の下面（２ｃ）に接触させ、その両端部を側面（２ｂ）に沿って立ち上げるように橋脚横梁（２）に巻き付けたとき、その両端がそれぞれ橋脚横梁（２）の側面（２ｂ）に垂れ下がる前記主帯（１５ａ）の各端部と重なり合う長さに形成された副帯（１５ｂ）と、からなる補強帯（１５）で構成される。
【００１２】
なお、括弧内の符号等は、図面と対照するためのものであり、これは、発明の理解を容易にするための便宜的なものであって、特許請求の範囲に何等影響を及ぼすものではない。
【００１３】
【発明の効果】
請求項１に係る発明によると、橋脚横梁にＵ字状に巻き付けた強化繊維シートの上から補強帯を巻き付けて固定するようにしているので、補強帯で強化繊維シートのＵ字状の開口部の広がりを抑制することが出来、橋脚横梁のせん断耐力を大幅に向上させることができる。また、補強帯は、予め硬化処理されたプレキャスト部を橋脚横梁の上に載置して橋脚横梁に巻き付け、樹脂を含浸させるだけであるので、施工が容易であり、施工品質を確保することができる。
【００１４】
請求項２に係る発明によると、橋脚横梁にＵ字状に巻き付けた強化繊維シートの上から補強帯を巻き付けて固定するようにしているので、補強帯で強化繊維シートのＵ字状の開口部の広がりを規制することが出来、橋脚横梁のせん断耐力を大幅に向上させることができる。また、補強帯は、予め硬化処理されたプレキャスト部を橋脚横梁の上に載置して橋脚横梁にその両端が重なり合うように巻き付け、樹脂を含浸させるだけであるので、施工が容易である。
【００１５】
請求項３に係る発明によると、構成が簡単で取扱いが容易な補強部材を提供することができる。また、該補強部材を用いることにより、橋脚横梁の補強工事の施工が容易であり、しかも補強効率を大幅に向上させることができる。
【００１６】
請求項４に係る発明によると、補強部材を構成する主帯と副帯の長さを短くすることができるので、補強部材の取扱いがさらに容易となり、補強作業の効率を向上させることができる。
【００１７】
【発明の実施の形態】
以下、本発明の実施の形態を図面に基づいて説明する。
【００１８】
図１ないし図４は、本発明の実施の形態を示すもので、図１は、本発明の補強方法によって補強された橋脚横梁の側面図、図２は、図１のＡ−Ａ断面図、図３は、図１のＢ−Ｂ断面図、図４は、図１における補強帯の展開図である。
【００１９】
図１に示すように、所定の間隔で立設されたラーメン橋脚１の上端には、橋脚横梁２が一体に形成されている。該橋脚横梁２の上面２ａには、支承３と落橋防止装置５等の添加物が配置され、該支承３で橋梁上部工６が支承され、落橋防止装置５で落下が防止されるようになっている。なお、橋脚横梁２の上面２ａと橋梁上部工６の下面６ａとの間隔Ｇは、通常３０〜４０ｃｍ程度になっている。
【００２０】
図２に示すように、前記橋脚横梁２の外周に、橋脚横梁２の両側面２ｂ及び下面２ｃを覆うように、強化繊維を布状に織り上げた柔軟な強化繊維シート７が巻き付けられ、樹脂が含浸されて橋脚横梁２に接着、硬化されている。なお、強化繊維シート７は、橋脚横梁２の上面に寸法ｌだけ被さるように巻き付けられている。従って、橋脚横梁２の幅をＬ１とすると、橋脚横梁２の上面２ａには、強化繊維シート７が巻きつけられていない幅Ｌ２（Ｌ１−２ｌ）の開口部８が発生する。
【００２１】
図３に示すように、前記橋脚横梁２の上面２ａと前記強化繊維シート７の外周には、橋脚横梁２の上面２ａと対向する位置に、可撓性を有する強化繊維シートに予め樹脂が含浸され硬化させたプレキャスト部１１と、その両端に未硬化部１２が形成され、該プレキャスト部１１に接着剤１３が塗布された補強帯１０が、橋脚横梁２の図１で軸心方向である左右方向に、間隔ＬＭ（ＬＭ１、ＬＭ２、ＬＭ３）を置いて複数個（図１の場合、４個）設置されている。
【００２２】
該補強帯は、その未硬化部１２（施工前においては樹脂が含浸されておらず、強化繊維シートからなる柔軟性（可撓性）を有する部分の意、施工中に樹脂が含浸されプレキャスト部１１と同様に硬化する。）の端部が橋脚横梁２の下面２ｃで重なるように巻き付けられ、未硬化部１２に樹脂が含浸されて、前記強化繊維シート７の外周面に接着、硬化されている。このとき、プレキャスト部分１１は、接着剤１３により橋脚横梁２の上面２ａに接着固定される。
【００２３】
前記補強帯１０は、図４に示すように、幅Ｗ、長さＬ５の帯状に形成され、その中央部のプレキャスト部１１は長さＬ３に形成されている。前記補強帯１０の幅Ｗは、図１に示すように、橋脚横梁２の上面２ａに配置される支承３や落橋防止装置５などの添加物の配置間隔Ｐよりも小さく形成されている。また補強帯１０の長さＬ５は、図３に示すように、橋脚横梁２に強化繊維シート７を巻き付けた状態で、強化繊維シート７の幅をＬ４、高さをＨ、補強帯１０の両端の重ね量をｌ２とすると、Ｌ５＝２（Ｌ４＋Ｈ）＋ｌ２に形成されている。即ち、橋脚横梁の軸直角断面における外周長（≒２（Ｌ４＋Ｈ））よりも長い帯状に形成されている。なお、補強帯１０の両端を重ね合わせる長さｌ２は、１０ｃｍ程度あればよい。
【００２４】
また、前記補強帯１０のプレキャスト部１１の長さＬ３は、図２に示す橋脚横梁２の上面２ａの幅Ｌ１より短く、強化繊維シート７の開口部８の幅より長く（Ｌ１＜Ｌ３＜Ｌ２）なるように形成されている。前記プレキャスト部１１の少なくとも一方の面には、図４に示すように、施工時に接着剤を塗布すべき領域として、長さＬ６、幅Ｗ２なる接着剤塗布領域ＡＲＡが形成されている。この接着剤塗布領域ＡＲＡに、施工現場で塗布する接着剤１３の塗布長さＬ６は、図２に示す強化繊維シート７の開口部８の長さＬ２と略同じ長さＬ６≒Ｌ２でよい
【００２５】
前記のように、支承３や落橋防止装置５が配置されている橋脚横梁２に強化繊維シート７をＵ字状に巻き付け、該強化繊維シート７に樹脂を含浸させて、橋脚横梁２に接着、硬化させる。次に、プレキャスト部分１１が形成された補強帯１０を巻き付けて、プレキャスト部分１１を接着剤１３で橋脚横梁２の上面２ａに接着し、未だ樹脂が含浸されず強化繊維シートからなる柔軟な可撓性を有する未硬化部分１２を、図３に示すように、橋脚横梁２の周囲を被覆する形で巻きつけ、該未硬化部分１２に樹脂を含浸させて強化繊維シート７に接着固定する。更に、図３で橋脚横梁２の下部の補強帯１０の両端部１０ａ、１０ａを重ね合わせて樹脂を含浸させ閉鎖環状に一体にして硬化させることにより、補強帯１０の巻き付け強度を向上させることができる。
【００２６】
地震等により橋脚横梁２に外力が作用した場合、閉鎖環状に設置、固定された補強帯１０により強化繊維シート７の開口部８の広がりを防止することができ、強化繊維シート７だけでＵ字状に補強した場合に比べ、橋脚横梁２のせん断耐力を大幅に増大させることができる。なお、本実施の形態において、橋脚横梁２に巻き付ける補強帯１０の数をｎ、幅をＷとすると、橋脚横梁２に巻きつけた補強帯１０の橋脚横梁２の軸方向の総延長Ｍは、Ｍ＝ｎ×Ｗ（図１の場合、Ｍ＝４Ｗ）になる。この補強帯１０を巻きつける総延長Ｍは、橋脚横梁２のせん断区間の長さＬ７（図１参照、ラーメン橋脚１、１間の長さ）の１／９程度あれば橋脚横梁２のせん断耐力を大幅に向上させることができる。
【００２７】
図５及び図６は、本発明の第２の実施の形態を示すもので、図５は、図１のＢ−Ｂ断面図、図６は、図５における補強帯の展開図である。
【００２８】
同図において、図１乃至図４と同じものは同じ符号をつけて示し説明を省略する。図６に示すように、補強帯１５は、主帯１５ａと副帯１５ｂで構成され、主帯１５ａには、施工前に予め強化繊維シートを樹脂で含浸固化させたプレキャスト部１６が形成され、その両端に未だ樹脂が含浸されていない柔軟な可撓性を有する強化繊維シートからなる未硬化部１７がつながっている。
【００２９】
そして、図５に示すように、主帯１５ａのプレキャスト部１６に接着剤１３を塗布した状態で橋脚横梁２の上面２ａに載置し固定し、両側の未硬化部１７を橋脚横梁２の側面２ｂに巻き付けられた強化繊維シート７の側面に巻き付け、樹脂を含浸させて、強化繊維シート７に接着させる。
【００３０】
主体１５ａの接着が終了したら、橋脚横梁２の下面２ｃに巻き付けられた強化繊維シート７に、柔軟な可撓性を有する強化繊維シートからなる副帯１５ｂの中央部を当て、樹脂を含浸させて接着した後、その両側を橋脚横梁２の側面２ｂに沿って立上げ、主帯１５ａの両端部１５ｃ、１５ｃと重ね合わせて樹脂を含浸させ、主帯１５ａと副帯１５ｂを一体に接合して、閉鎖環状に硬化させる。
【００３１】
なお、図６に示すように、主帯１５ａ及び副帯１５ｂは、幅Ｗ、長さＬ８に形成されている。この主帯１５ａと副帯１５ｂの長さＬ８は、図５に示すように、橋脚横梁２に巻き付けられた強化繊維シート７の幅をＬ４、高さをＨ、重ね合わせ部の長さをｌ２とすると、Ｌ８＝Ｌ４＋Ｈ＋ｌ２になる。
【００３２】
このような構成としても、前記実施の形態と同様の効果を得ることができる。また、主帯１５ａと副帯１５ｂの長さＬ８を短くすることができ、補強工事の施工時に、主帯１５ａ、副帯１５ｂの取り扱いを容易にすることができ、作業性を向上させることができる。
【図面の簡単な説明】
【図１】本発明の補強方法によって補強された橋脚横梁の側面図。
【図２】図１のＡ−Ａ断面図。
【図３】図１のＢ−Ｂ断面図。
【図４】図１における補強帯の展開図。
【図５】本発明の他の実施形態を示す、図１のＢ−Ｂ断面図。
【図６】図５における補強帯の展開図。
【符号の説明】
２…橋脚横梁
２ａ…上面
２ｂ…側面
２ｃ…下面
３…支承
５…落橋防止装置
７…強化繊維シート
１０…補強帯
１１…プレキャスト部
１２…未硬化部
１３…接着剤
１５…補強帯
１５ａ…主帯
１５ｂ…副帯
１６…プレキャスト部
１７…未硬化部
【図１】
2004060213.tif 000003
【図２】
2004060213.tif 000004
【図３】
2004060213.tif 000005
【図４】
2004060213.tif 000006
【図５】
2004060213.tif 000007
【図６】
2004060213.tif 000008